【手続補正書】
【提出日】平成28年12月7日(2016.12.7)
【手続補正１】
【補正対象書類名】特許請求の範囲
【補正対象項目名】全文
【補正方法】変更
【補正の内容】
【特許請求の範囲】
【請求項１】
その構成要素（２〜１０）間で無線データ転送を行うための受信機を１個又は複数個備える着色システム（１）であって、
前記構成要素（２〜１０）のうち１個が、スプレイ圧縮気を利用して液体素材を噴霧する着色用スプレイヤ（２）であり、
前記着色用スプレイヤ（２）は、
前記着色用スプレイヤ（２）の動作パラメタ及び／又は環境パラメタを検出する検出ユニットと、
検出されたパラメタを前記受信機に無線送信する送信機と、
を有する着色システム（１）。
【請求項２】
請求項１に記載の着色システム（１）であって、
前記着色用スプレイヤ（２）を構成する前記送信機が、前記着色用スプレイヤ（２）内に組み込まれ包まれる、
ことを特徴とする着色システム（１）。
【請求項３】
請求項１又は２に記載の着色システム（１）であって、
前記着色用スプレイヤ（２）に搭載又は内蔵されている前記検出ユニットが、動作パラメタ、スプレイ空気圧、又はスプレイ素材圧の少なくとも１つを検出する１個又は複数個の圧力検出デバイスを有する、
ことを特徴とする着色システム（１）。
【請求項４】
請求項１、２、３のいずれか１項に記載の着色システム（１）であって、
前記検出ユニットが、環境パラメタ、空気圧、空気湿度、空気速度、又は環境温度の少なくとも１つを検出する１個又は複数個の計測デバイスを有する、
ことを特徴とする着色システム（１）。
【請求項５】
請求項１乃至４のいずれか１項に記載の着色システム（１）であって、
前記着色用スプレイヤ（２）は、スプレイ圧縮気の供給を受けるべく、圧縮気供給ライン（２３）を介し、前記着色システム（１）の構成要素のうち、圧縮気源（４）及び圧縮気安定化器（５）を有する圧縮気供給機（３）として構成されている要素に連結されている、
ことを特徴とする着色システム（１）。
【請求項６】
請求項１乃至５のいずれか１項に記載の着色システム（１）であって、
前記着色用スプレイヤ（２）は、スプレイ素材の供給を受けるべく、素材供給ライン（２６）を介し、前記着色システム（１）の構成要素のうち、素材供給機（６）として構成されている要素に連結されている、
ことを特徴とする着色システム（１）。
【請求項７】
請求項１乃至６のいずれか１項に記載の着色システム（１）であって、
前記着色用スプレイヤ（２）は、重力、オーバヘッド、サスペンション、サイドカップ又はホースラインの働きでスプレイ素材の供給を受ける、
ことを特徴とする着色システム（１）。
【請求項８】
請求項１乃至７のいずれか１項に記載の着色システム（１）であって、
更なる構成要素（２〜１０）として、前記着色システム（１）の他の構成要素（４〜７，９，１０）及び前記着色用スプレイヤ（２）の動作パラメタを監視及び／又は制御の対象とする制御ユニット（８）を備える、
ことを特徴とする着色システム（１）。
【請求項９】
請求項１乃至８のいずれか１項に記載の着色システム（１）であって、
更なる構成要素（２〜１０）として、前記検出ユニットで検出された動作パラメタ及び／又は環境パラメタを表示する表示ユニット（９）を備える、
ことを特徴とする着色システム（１）。
【請求項１０】
請求項９に記載の着色システム（１）であって、
前記表示ユニット（９）は、着色現場に配置される、
ことを特徴とする着色システム（１）。
【請求項１１】
請求項９に記載の着色システム（１）であって、
前記表示ユニット（９）は、前記着色用スプレイヤ（２）の表面に配置される、
ことを特徴とする着色システム（１）。
【請求項１２】
請求項９に記載の着色システム（１）であって、
前記表示ユニット（９）は、可搬型であり、前記着色用スプレイヤ（２）のオペレータの手首に固定可能である、
ことを特徴とする着色システム（１）。
【請求項１３】
請求項１乃至１２のいずれか１項に記載の着色システム（１）であって、
更なる構成要素（２〜１０）として、前記着色システム（１）の調整パラメタを改変可能な操作ユニット（７）を備える、
ことを特徴とする着色システム（１）。
【請求項１４】
請求項１３に記載の着色システム（１）であって、
前記操作ユニット（７）は、着色現場に配置される、
ことを特徴とする着色システム（１）。
【請求項１５】
請求項１３に記載の着色システム（１）であって、
前記操作ユニット（７）は、前記着色用スプレイヤ（２）の表面に設けられる、
ことを特徴とする着色システム（１）。
【請求項１６】
請求項１３に記載の着色システム（１）であって、
前記操作ユニット（７）は、可搬型であり、前記着色用スプレイヤ（２）のオペレータの手首に固定可能である、
ことを特徴とする着色システム（１）。
【請求項１７】
請求項１乃至１６のいずれか１項に記載の着色システム（１）であって、
前記構成要素（２〜１０）のうち１個又は複数個が無線データ転送用の受信機及び／又は送信機を有する、
ことを特徴とする着色システム（１）。
【請求項１８】
請求項１７に記載の着色システム（１）であって、
前記構成要素（２〜１０）のうち受信機及び／又は送信機を有する要素同士が直にデータを転送する、
ことを特徴とする着色システム（１）。
【請求項１９】
請求項１乃至１８のいずれか１項に記載の着色システム（１）であって、
前記無線転送は、無線周波数接続、ＷＬＡＮ接続、光接続、Ｂｌｕｅｔｏｏｔｈ（登録商標）接続、又はその他の無線接続経由で実行される、
ことを特徴とする着色システム（１）。
【請求項２０】
請求項１乃至１９のいずれか１項に記載の着色システム（１）であって、
前記無線転送は双方的である、
ことを特徴とする着色システム（１）。
【請求項２１】
請求項１乃至２０のいずれか１項に記載の着色システム（１）を稼働させる方法であって、
動作パラメタ、スプレイ空気圧、又はスプレイ素材圧の少なくとも１つを前記着色用スプレイヤ（２）の表面又は内部で検出し、前記着色システム（１）の構成要素（３〜１０）のうち１個又は複数個にその検出の結果を無線転送する、
ことを特徴とする方法。
【請求項２２】
請求項２１に記載の方法であって、
動作パラメタ及び／又は環境パラメタの検出結果、特に圧力の検出結果を表示ユニット（９）に転送し表示させる、
ことを特徴とする方法。
【請求項２３】
請求項２１又は２２に記載の方法であって、
スプレイ空気圧の検出結果を圧縮気供給機（３）の圧縮気安定化器（５）へと転送してスプレイ空気圧に関する所定の理論値と比較し、
前記着色用スプレイヤ（２）に供給されるスプレイ圧縮気の圧力を、前記着色用スプレイヤ（２）におけるスプレイ空気圧が当該理論値に適合するよう前記圧縮気安定化器（５）で調整する、
ことを特徴とする方法。
【請求項２４】
請求項２１、２２、２３のいずれか１項に記載の方法であって、
スプレイ素材圧の検出結果を素材供給機（６）へと転送して所定の理論値と比較し、
前記着色用スプレイヤ（２）に供給されるスプレイ素材の圧力を、前記着色用スプレイヤ（２）におけるスプレイ素材圧が当該理論値に適合するよう前記素材供給機（６）で再調整する、
ことを特徴とする方法。
【請求項２５】
請求項２１乃至２４のいずれか１項に記載の方法であって、
圧力の検出結果を制御ユニット（８）へと転送してその圧力に関する所定の理論値と比較し、
圧縮気安定化器（５）及び／又は素材供給機（６）を、前記着色用スプレイヤ（２）におけるスプレイ空気圧及び／又はスプレイ素材圧が当該理論値に適合するよう前記制御ユニット（８）で制御する、
ことを特徴とする方法。
【請求項２６】
請求項２１乃至２５のいずれか１項に記載の方法であって、
スプレイ空気圧及び／又はスプレイ素材圧に関する所定値を前記着色用スプレイヤ（２）又は操作ユニット（７）の働きで調整した結果、前記着色システム（１）で利用可能な最大圧力を超過した場合に、その旨を表示ユニットに表示させる、
ことを特徴とする方法。
【請求項２７】
その構成要素（２〜１０）間で無線データ転送を行うための受信機を１個又は複数個備える着色システム（１）であって、
前記構成要素（２〜１０）のうち１個が着色用スプレイヤ（２）であり、
前記着色用スプレイヤ（２）は、
前記着色用スプレイヤ（２）の動作パラメタ及び／又は環境パラメタを検出する検出ユニットと、
検出されたパラメタを前記受信機に無線送信する送信機と、
を有し、
前記無線データ転送は、爆発限界以下の電力条件において実行される、
ことを特徴とする着色システム（１）。
【請求項２８】
圧縮気源（４）からの圧縮気を利用して着色用スプレイヤ（２）が素材を噴霧する着色システム（１）を稼働させる方法であって、
前記圧縮気源（４）に生じた誤動作及び機能停止の少なくとも一方を示す情報が、前記圧縮気源（４）が有する送信機から前記着色用スプレイヤ（２）のユーザが装着している表示ユニットに、無線通信により直接送信されるステップ、
を含むことを特徴とする方法。
【請求項２９】
請求項２８に記載の方法であって、さらに、
前記圧縮気源（４）が有する前記送信機からの前記情報を受信した前記表示ユニットが、音及び表示の少なくとも一方によって警報を発するステップ、
を含むことを特徴とする方法。
【請求項３０】
請求項２８又は２９に記載の方法であって、さらに、
前記着色用スプレイヤ（２）に設けられた操作ユニット（７）から前記圧縮気源（４）に対して、前記圧縮気源（４）を直ちに停止させるための停止信号が無線通信により直接送信されるステップ、
を含むことを特徴とする方法。
【請求項３１】
請求項１乃至２０のいずれか１項に記載の着色システム（１）であって、
前記着色用スプレイヤ（２）に前記素材を供給する素材供給機（６）に設けられ、前記着色用スプレイヤ（２）に供給される前記素材の流量を検出するセンサを備える、
ことを特徴とする着色システム（１）。
【請求項３２】
請求項３１に記載の着色システム（１）であって、
前記センサは、さらに、前記着色用スプレイヤ（２）に供給される前記素材の圧力を検出する、
ことを特徴とする着色システム（１）。